(57)【要約】【課題】インステップ部材の有効長さを簡単かつ繊細に調整する事ができるスノーボードのバインディングを提供する。【解決手段】スノーボードのバインディングは、ベースプレート（１）およびベースプレート（１）から突出する側板（２）を有する支持構造を備える。単一のインステップ部材（４）を保持するためのテンションケーブル（６、９）が側板に取り付けられる。インステップ部材（４）は、少なくともブーツの甲の部分（５ｂ）からつま先部分（５ａ）まで延長する。テンションケーブル（６、９）用の単一のテンション装置（８）は、ヒール部材（３）の枢動位置に依存しない。【選択図】図１
2004160227.tif 000002
【特許請求の範囲】
【請求項１】
ブーツをスノーボードに固定するためのスノーボードのバインディングであって、
支持構造と、
前記支持構造に取り付けられたヒール部材と、
前記ブーツの上側を部分的にカバーし、テンション装置によって張力をかけられたり緩められることの可能なテンションケーブルによって前記支持構造に取り付けられるインステップ部材を備え、
前記ブーツ（５）上の単一の前記インステップ部材（４）は、少なくともつま先部分（５ａ）から甲の部分（５ｂ）まで延長し、
前記インステップ部材（４）と前記支持構造は、テンションケーブル（６、９、６’、９’）によってつま先部分（５ａ）、および甲の部分（５ｂ）において接続され、
単一のテンション装置（８’、８）がすべてのテンションケーブル（６、９、６’、９’）のために供され、
前記テンション装置（８）は、前記ヒール部材（３）の枢動と無関係である前記支持構造（２）または前記インステップ部材（４）に取り付けられる、スノーボードのバインディング。
【請求項２】
前記テンションケーブル（６、９）は、前記インステップ部材（４）の１つの縁部に取り付けられる、請求項１に記載のスノーボードのバインディング。
【請求項３】
前記テンション装置（８）は、
前記テンションケーブル（６、９）を巻きつけることができる回転可能な巻上げスピンドル（１５）と、
前記巻上げスピンドル（１５）を固定するための固定装置と
を備える、請求項１または請求項２に記載のスノーボードのバインディング。
【請求項４】
前記固定装置は、ばねによって予め圧された制止子（２３）、およびラチェット（２８）を備える、請求項３に記載のスノーボードのバインディング。
【請求項５】
前記固定装置は、前記テンションケーブル（６、９）のループ（６”）を固定することの出来る複数のホックを備えた枢動するレバーである、請求項１に記載のスノーボードのバインディング。
【発明の詳細な説明】
【技術分野】
【０００１】
本発明は、請求項１の前段に関するスノーボードのバインディングに関する。
【背景技術】
【０００２】
スノーボードのバインディングは、特許文献１等によって公知である。特許文献１は、ベースプレートを備えたスノーボードのバインディングについて記載されており、該ベースプレートはスノーボードの表面上にねじで留められ、かつ上方へ伸びる２つの側板を備える。２つのストラップがこれらの側板に取り付けられる。これらのストラップのうちの一方が、バインディングに挿入されるブーツの足の甲の部分を横断し、他方がつま先部分を横断する。ここで、両方のストラップはテンションケーブルによって２つの側板に接続され、テンション部材によって張力が掛けられる。テンション部材はテンションケーブルを巻上スピンドルに巻きつける。これによって、ブーツを横断するストラップの有効長さを調節する事が出来る。テンションケーブルは、両側にループを形成することによって各ストラップ上を２回案内される。テンション部材は各ストラップに取り付けられる。
【０００３】
特許文献２および特許文献３において、ストラップはラチェット・メカニズムおよび歯付きベルトによって側板に接続され、ラチェット・メカニズムによって張力が掛けられる。
【０００４】
特許文献４および特許文献５（図１３）より、２つのストラップの代わりにブーツを横断する単一のインステップ部材を使用することが公知である。該インステップ部材は、ブーツのつま先部分から甲の部分まで延長する。該インステップ部材は、テンションケーブルによってベースプレートに接続される。テンションケーブルは、インステップ部材上を横断するか（特許文献４）、もしくはインステップ部材の側端部近くに取り付けられる（特許文献５）。両文献において、テンションケーブルは、通常ハイバックと称されるヒール部材に接続される。ヒール部材はベースプレートに枢動可能なように蝶着され、テンションスクリューあるいは調整可能な歯付きベルトのような追加の手段によって長さを調節することができるようになっている。ヒール部材を枢動させることによって、テンションケーブルに実際に張力が掛けられる。
【０００５】
【特許文献１】国際公開第００／７６６０２Ａ２号パンフレット
【特許文献２】独国実用新案第９１１３７６６Ｕ１号明細書
【特許文献３】米国特許第５７２７７９７号明細書
【特許文献４】米国特許第５５５６１２３号明細書
【特許文献５】米国特許第５９７１４２３号明細書
【発明の開示】
【発明が解決しようとする課題】
【０００６】
実際上、インステップ部材の位置、および有効な長さの調整をする事は容易では無く、十分な精度で行う事が不可能であるか、さもなければいくつかの調整段階を必要とする。然るに、多くのスノーボーダーは、斜面を下って来た後に、バインディング（つまりインステップ部材）を緩めることを好むが、その一方、例えばリフトに搭乗するために斜面を昇る際に、ある程度の強さでバインディングが締められている事を望む。これを前述した公知のバインディングで達成する事は困難であり、非常に煩雑な段階を経なければならない。
【０００７】
したがって、本発明の目的は、上記されたスノーボードのバインディングを、インステップ部材の有効長さを簡単かつ繊細に調整可能なように改善することである。この目的は特許請求の範囲における請求項１に記載の特徴により達成される。本発明の有利な形態および改良は従属項により規定される。
【課題を解決するための手段】
【０００８】
本発明の基本主旨は、１足のブーツにつき１個のインステップ部材を、ヒール部材に依存しない単一のテンション装置のみを用いて、複数の、具体的には少なくとも2つのテンションケーブルを用いて固定することである。インステップ部材は、単一のテンション装置を用いて単一のステップで張力をかけられたり緩められたりすることができる。従って、ヒール部材によって決定されるブーツの配置は変更されない。
【０００９】
本発明の形態において、テンション装置は1つの回転可能な巻上げスピンドルを備え、該巻上げスピンドルにテンションケーブルが巻きつけられる。スピンドルに接続された巻上げスピンドルおよび回転するノブの寸法を適切に定める事により、ユーザがより少ない力で高い張力をかける力を加えることを可能にする力の伝達比率を選択することができる。しかしながら、テンション装置はテンションケーブルを固定することの出来る複数のホックを備えた枢動するレバーであってもよい。ここで、複数のテンションケーブルがループを形成するように相互に接続され、該ループがテンション装置に固定されることが有利である。
【００１０】
テンションケーブルは、引張力を伝達し、巻き上げられることの出来るという要求を満たす任意の要素であって良い。例えば、テンションケーブルは、金属線、プラスチック・ケーブル、テープ、または同様のものであり得る。テンション装置は、ベースプレートの側板、インステップ部材への、またはヒール部材に取り付けてもよい。
【００１１】
テンション装置は、回転可能な巻上げスピンドルおよび回転可能な作動ノブ、もしくはレバーを備える。巻上げスピンドルの適切な回転位置は、例えば1つ以上の制止子およびラチェットによってロックすることができる。他の公知の固定装置が使用され得る事は明らかであり、その場合、ポジティブロックまたは摩擦ロック等によって、巻上げスピンドルは任意の位置に固定またはロックすることができる。
【００１２】
なお、上記の発明の概要は、本発明の必要な特徴の全てを列挙したものではなく、これらの特徴群のサブコンビネーションもまた、発明となりうる。
【発明の効果】
【００１３】
本発明によれば、スノーボードのバインディングのインステップ部材の有効長さを簡単かつ繊細に調整する事ができる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、本発明の第１実施形態におけるスノーボードのバインディングの側面図である。スノーボードのバインディングは、ベースプレート１を伴った支持構造を備え、ベースプレート１は、公知の方法でスノーボードの表面へ、通常ネジを用いて装着される。側板２は支持構造と一体となった構成要素であり、ベースプレート１から垂直に延長し、保持されるブーツ５の両側においてベースプレート１に取り付けられる。これらの側板２は、ブーツを横方向へ案内し、側板２に取り付けられているヒール部材３を枢動可能なように保持し、ブーツ５のつま先部分５ａから甲の部分５ｂまで延長し、ブーツ上方部分５ｃと部分的に重なっている単一のインステップ部材４を保持する等の機能を有する。インステップ部材は、その名称に関係なく、甲の部分５ｂだけでなくつま先部分５ａも、また場合によってはブーツの上方部分５ｃも覆うことが出来る。インステップ部材４はテンションケーブル６、９によって少なくとも１つの側板２に取り付けられる。ここで、以下に記載するような多くの変形が可能である。一つの変形例として、テンションケーブル６は、インステップ部材４のつま先部分の縁部の近傍に位置する取り付け点７においてに取り付けられる。例えば、テンションケーブル６は、リベット止めされるか、縫製されるか、ねじで留められるか、鳩目を通って挿入されるか、もしくは他の公知の方法で取り付けることができる。その後、側板２上に取り付けられたガイドローラー１１ａおよび１１ｂによって、テンションケーブル６はテンション装置８に誘導される。テンション装置８は、インステップ部材４の略中央に取り付けられる。
【００１６】
同様に、テンションケーブル９が取り付け点１０においてインステップ部材４の甲の部分５ｂ近傍に取り付けられる。取り付け点１０もまた、インステップ部材の縁部の近傍に位置する。テンションケーブル６と同様、テンションケーブル９は、側板２上のガイドローラー１２ａおよび１２ｂの上に案内された後、テンション装置８に誘導される。したがって、テンションケーブル６、９の双方が、テンション装置８によって張力をかけられる。
【００１７】
参照番号６’、９’および２点鎖線によって示されているように、テンションケーブル６、９はインステップ部材４を完全に横断するように案内される。ブーツの図１に図示されている側面の反対側の側面においても、図示されている側面と同様に、テンションケーブル６’、９’が反対側の側板２に剛的に取り付けられており、ガイドローラー１１ａ、１１ｂ、１２ａおよび１２ｂに対応した反対側に位置する複数のガイドローラーによってテンション装置８ヘ誘導される。従って、テンションケーブル６、９の４つの端部が、テンション装置８に集められる。
【００１８】
図２は、本発明の第２実施形態におけるスノーボードのバインディングの側面図である。本実施形態において、側板２に取り付けられたテンション装置８が、第１実施形態のテンション装置８と同様に作動する。テンションケーブル６、９のそれぞれが、取り付け点７、１０においてインステップ部材４の横縁部の近傍に取り付けられ、側板２に取り付けられたガイドローラー１１および１２上を案内されてテンション装置８へ誘導される。第１実施形態の場合と同様、参照番号６’、９’および２点鎖線によって示されているように、テンションケーブル６、９は、インステップ部材４を完全に横断する。
【００１９】
図３は、本発明の第３実施形態におけるスノーボードのバインディングの側面図である。  本実施形態において、レバー８’がテンション装置として使用される。レバー８’は、レバー８’が閉じた位置においてインステップ部材４に面する側面上に、複数のホック８”を有する。テンションケーブルのループ６”は、複数のホック８”のうちの１つの上に固定される。レバー８’を枢動させることによって、テンションケーブルに張力を掛けたり緩めたりする。
【００２０】
図４は、本発明の第４実施形態におけるスノーボードのバインディングの側面図である。本実施形態において、テンションケーブル６、９は、ガイドローラー１１、１２から直接インステップ部材４の中心に配置されたテンション装置に案内される。つまり、図１に示されるガイドローラー１１ｂおよび１２ｂが省略されているのを除けば、本実施形態におけるスノーボードのバインディングは第１実施形態におけるスノーボードのバインディングと同様のものである。
【００２１】
図５は、テンション装置の一実施形態の断面図である。図５に示されるテンション装置は、バインディングに取り付けられる略平坦な底部１３を有するポット形のハウジング５１２を備え、具体的には、底部１３は側板２またはインステップ部材４へ取り付けられる。ハウジング５１２は円筒形の突起１４を有する。円筒形の突起１４は内側へ延長し、巻上げスピンドル１５の案内および支持部として機能する。巻上げスピンドル１５は、環状部１７を備えたハウジング５１２を包囲するケーシングカバー１６と一体として形成される。ケーシングカバー１６は、環状部１７によって案内され、かつ支持される。ここで、ハウジング５１２は２つの開口部１８、１９を備え、テンションケーブル６、９が２つの開口部１８、１９を貫通してハウジング５１２内部に案内され、巻上げスピンドル１５に巻きつけられる。テンションケーブル６、９の所定の端部が巻上げスピンドル１５に取り付けられる。ガイドディスク２０、２１、２２は、巻上げスピンドル１５が回されるのに応じて、テンションケーブル６、９の安定した制御のために用いられる巻上げスピンドル１５上で制御され得る。
【００２２】
制止子２３がケーシングカバー１６に取り付けられる。制止子２３はピン２４を軸として枢動し、ばね２５、本実施形態においては板ばねによってテンション装置の中心の方向へ圧される。制止子２３は、その端部に歯止め２６を備える。ハウジング５１２は、制止子２３の幅に相当する凹部２７を備え、凹部２７内にラチェット２８が設けられる。歯止め２６はラチェット２８と噛合し、その結果制止子２３が作用し、ケーシングカバー１６は一方の回転方向、即ち、張力を掛ける回転方向のみに回転する。
【００２３】
テンションケーブルを弛緩させるためには、制止子２３を、ばね２５の圧する力に抗して、歯止め２６がラチェット２８から開放されるまで、ピン２４を軸として枢動させる。この枢動は、環状部１７が制止子２３の一部分中に溝２９を備える事によって実現される。制止子２３の後端は、溝２９において外部からアクセス可能であり、制止子２３を上述された方法で枢動させることが可能になる。
【００２４】
図６は、図５の線Ａ−Ａに沿った断面図である。図６の実施形態において、２つの相対する制止子２３，２３’が示される。制止子２３の各部分、および制止子２３の各部分に対応する制止子２３’の各部分は、ケーシングカバー１６の回転方向に対して同一の方向に配置される。テンションケーブルを巻き上げるために、他の構成を有するテンション装置を使用し得る事は明白である。テンションケーブルの張力がより高い場合、巻上げトルクを得るために減速ギアをテンション装置に用いてもよい。
【００２５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００２６】
【図１】本発明の第１実施形態におけるスノーボードのバインディングの側面図である。
【図２】本発明の第２実施形態におけるスノーボードのバインディングの側面図である。
【図３】本発明の第３実施形態におけるスノーボードのバインディングの側面図である。
【図４】本発明の第４実施形態におけるスノーボードのバインディングの側面図である。
【図５】テンション装置の一実施形態の断面図である。
【図６】図５の線Ａ−Ａに沿った断面図である。
【符号の説明】
【００２７】
１    ベースプレート
２    側板
３    ヒール部材
４    インステップ部材
５    ブーツ
５ａ    つま先部分
５ｂ    甲の部分
５ｃ    上方部分
６    テンションケーブル
６’    テンションケーブル
６”    ループ
７    取り付け点
８    テンション装置
８’    レバー
８”    ホック
９    テンションケーブル
９’    テンションケーブル
１０    取り付け点
１１    ガイドローラー
１１ａ    ガイドローラー
１１ｂ    ガイドローラー
１２    ガイドローラー
１２ａ    ガイドローラー
１２ｂ    ガイドローラー
１３    底部
１４    突起
１５    巻上げスピンドル
１６    ケーシングカバー
１７    環状部
１８    開口部
１９    開口部
２０    ガイドディスク
２１    ガイドディスク
２２    ガイドディスク
２３    制止子、
２３’    制止子
２４    ピン
２５    ばね
２５’    ばね
２６    歯止め
２７    凹部
２８    ラチェット
２９    溝
２９’    溝
５１２    ハウジング
【図１】
2004160227.tif 000003
【図２】
2004160227.tif 000004
【図３】
2004160227.tif 000005
【図４】
2004160227.tif 000006
【図５】
2004160227.tif 000007
【図６】
2004160227.tif 000008